(57)【要約】      （修正有）【課題】遠隔操作装置の操作性を向上させるとともに、ベビーカーを軽くすることのできるベビーカーの手押し杆を提供する。【解決手段】ベビーカーの手押し杆１５は、一対の側部パイプ６７の間に配置されたＵ字形状パイプ６８と、遠隔操作装置３７と、各側部パイプ６７に設けられたロック解除部材３８に連結されたワイヤ６９とを備えている。各側部パイプには、一方の外歯車７１を有する一方の継手６１が設けられている。Ｕ字形状パイプには、他方の外歯車８３を有するとともに、対応する一方の継手に対して回転自在な他方の継手６５が設けられている。一方の継手６１と他方の継手６５との間には、取り外し自在に連結する内歯車６３と両方の継手の間であって内歯車に隣接し、他方の継手の回転中心近傍にワイヤ６９を案内するワイヤ案内軸７４が設けられている。【選択図】図１５
2007098996.tif 000002
【特許請求の範囲】
【請求項１】
一対の側部パイプと、
一対の側部パイプ間に配置されたＵ字形状パイプと、
Ｕ字形状パイプに設けられた遠隔操作装置と、
遠隔操作装置に設けられるとともに、各側部パイプに設けられたロック解除部材に連結されたワイヤと、
各側部パイプに設けられるとともに、一方の外歯車とワイヤ案内路とを有する一方の継手と、
Ｕ字形状パイプに設けられるとともに、他方の外歯車とワイヤ案内路とを有し、対応する一方の継手に対して回転自在な他方の継手と、
一方の継手と他方の継手との間に設けられるとともに、一方の継手の一方の外歯車と他方の継手の他方の外歯車とに取り外し自在に係合する内歯車と、
一方の継手と他方の継手との間であって内歯車に隣接して設けられ、他方の継手の回転中心近傍にワイヤを案内するワイヤ案内軸を有する案内部材と、
を備えたことを特徴とするベビーカーの手押し杆。
【請求項２】
案内部材は、ワイヤ案内軸を保持する保持板と、保持板に設けられ、ワイヤを案内する案内突起とを有することを特徴とする請求項１記載のベビーカーの手押し杆。
【請求項３】
案内部材は、一方の継手側に設けられるとともに、
案内部材の案内突起は、Ｕ字形状パイプ側に空間を形成し、側部パイプ側にワイヤを保持する切欠きを形成することを特徴とする請求項１記載のベビーカーの手押し杆。
【請求項４】
他方の継手に、他方の継手の他方の外歯車と内歯車との係合を解除するボタンを設けたことを特徴とする請求項１記載のベビーカーの手押し杆。
【請求項５】
案内部材の保持板に、ワイヤを逃がす逃がし溝を設けたことを特徴とする請求項４記載のベビーカーの手押し杆。
【請求項６】
一対の側部パイプと、
一対の側部パイプ間に配置されたＵ字形状パイプと、
Ｕ字形状パイプに設けられた遠隔操作装置と、
遠隔操作装置に設けられるとともに、各側部パイプに設けられたロック解除部材に連結されたワイヤと、
各側部パイプに設けられるとともに、一方の外歯車とワイヤ案内路とを有する一方の継手と、
Ｕ字形状パイプに設けられるとともに、他方の外歯車とワイヤ案内路とを有し、対応する一方の継手に対して回転自在な他方の継手と、
一方の継手と他方の継手との間に設けられるとともに、一方の継手の一方の外歯車と他方の継手の他方の外歯車とに取り外し自在に係合する内歯車とを備え、
一方の継手又は他方の継手のいずれか一方は、他方の継手の回転中心近傍にワイヤを案内するワイヤ案内軸を有することを特徴とするベビーカーの手押し杆。
【請求項７】
一方の継手又は他方の継手のいずれか一方は、ワイヤ案内軸が取り付けられた継手本体を有し、
継手本体は、他方の継手の回転方向に延設された切欠きを有することを特徴とする請求項６記載のベビーカーの手押し杆。
【請求項８】
継手本体に、他方の継手の回転方向に延設された切欠きを覆うとともに、他方の継手の回転方向に回転自在な継手カバーを設け、
継手カバーは、ワイヤを通すワイヤ案内穴を有することを特徴とする請求項７記載のベビーカーの手押し杆。
【請求項９】
他方の継手に、他方の継手の他方の外歯車と内歯車との係合を解除するボタンを設けたことを特徴とする請求項６記載のベビーカーの手押し杆。
【請求項１０】
内歯車とワイヤ案内軸との間にばねが設けられ、
ワイヤ案内軸の側方にばねを支持するための凸部が設けられていることを特徴とする請求項６記載のベビーカーの手押し杆。
【発明の詳細な説明】
【技術分野】
【０００１】
本発明は、ベビーカーの手押し杆に係わり、とりわけ、遠隔操作装置の操作性を向上させるとともに、軽量化することのできるベビーカーの手押し杆に関する。
【背景技術】
【０００２】
従来、図２１に示すように、ベビーカーの手押し杆１５は、一対の側部パイプ６７と、一対の側部パイプ６７間に配置されたＵ字形状パイプ６８とを備えている。Ｕ字形状パイプ６８に遠隔操作装置が設けられ、また遠隔操作装置に、各側部パイプに設けられたロック解除部材に連結されたワイヤ６９が連結されている。各側部パイプ６７に、一方の外歯車７１とワイヤ案内路９０とを有する一方の継手６１が設けられ、Ｕ字形状パイプ６８に、他方の外歯車８３とワイヤ案内路９０とを有し、対応する一方の継手６１に対して回転自在な他方の継手６５が設けられている。さらに一方の継手６１と他方の継手６５との間に、一方の継手６１の一方の外歯車７１と他方の継手６５の他方の外歯車８３とを取り外し自在に係合する内歯車６３が設けられている。
【０００３】
ここで、Ｕ字形状パイプ６８を各側部パイプ６７に対して折り曲げる際に、内歯車６３に絡まらないように、ワイヤ６９は、内歯車６３の外方に設けられたワイヤ案内路６０内に配置されている。このため、Ｕ字形状パイプ６８が側部パイプ６７に対して直線状に配置されている場合（図２１（ａ）参照）と、Ｕ字形状パイプ６８が側部パイプ６７に対して折れ曲がって配置されている場合（図２１（ｂ）参照）とでは、ワイヤ案内路６０内に配置されるワイヤ６９の長さを変化させる必要がある。このため、予めワイヤ６９を回転させてループ５９を形成することにより、遊びが形成されている。
【発明の開示】
【発明が解決しようとする課題】
【０００４】
しかしながら、このようなループ５９を形成しておくと、遠隔操作装置で操作する際に、無駄な抵抗がかかり、操作性が劣る原因になっていた。また、ワイヤ６９は重いので、ワイヤ６９を回転させてループ５９を形成させておくと、その分だけベビーカーが重くなっていた。
【０００５】
本発明は、このような点を考慮してなされたものであり、遠隔操作装置の操作性を向上させるとともに、ベビーカーを軽くすることのできるベビーカーの手押し杆を提供することを目的とする。
【課題を解決するための手段】
【０００６】
本発明は、一対の側部パイプと、一対の側部パイプ間に配置されたＵ字形状パイプと、Ｕ字形状パイプに設けられた遠隔操作装置と、遠隔操作装置に設けられるとともに、各側部パイプに設けられたロック解除部材に連結されたワイヤと、各側部パイプに設けられるとともに、一方の外歯車とワイヤ案内路とを有する一方の継手と、Ｕ字形状パイプに設けられるとともに、他方の外歯車とワイヤ案内路とを有し、対応する一方の継手に対して回転自在な他方の継手と、一方の継手と他方の継手との間に設けられるとともに、一方の継手の一方の外歯車と他方の継手の他方の外歯車とに取り外し自在に係合する内歯車と、一方の継手と他方の継手との間であって内歯車に隣接して設けられ、他方の継手の回転中心近傍にワイヤを案内するワイヤ案内軸を有する案内部材と、を備えたベビーカーの手押し杆である。
【０００７】
本発明は、案内部材は、ワイヤ案内軸を保持する保持板と、保持板に設けられ、ワイヤを案内する案内突起とを有することを特徴とするベビーカーの手押し杆である。
【０００８】
本発明は、案内部材は、一方の継手側に設けられるとともに、案内部材の案内突起は、Ｕ字形状パイプ側に空間を形成し、側部パイプ側にワイヤを保持する切欠きを形成することを特徴とするベビーカーの手押し杆である。
【０００９】
本発明は、他方の継手に、他方の継手の他方の外歯車と内歯車との係合を解除するボタンを設けたことを特徴とするベビーカーの手押し杆である。
【００１０】
本発明は、案内部材の保持板に、ワイヤを逃がす逃がし溝を設けたことを特徴とするベビーカーの手押し杆である。
【００１１】
本発明は、一対の側部パイプと、一対の側部パイプ間に配置されたＵ字形状パイプと、Ｕ字形状パイプに設けられた遠隔操作装置と、遠隔操作装置に設けられるとともに、各側部パイプに設けられたロック解除部材に連結されたワイヤと、各側部パイプに設けられるとともに、一方の外歯車とワイヤ案内路とを有する一方の継手と、Ｕ字形状パイプに設けられるとともに、他方の外歯車とワイヤ案内路とを有し、対応する一方の継手に対して回転自在な他方の継手と、一方の継手と他方の継手との間に設けられるとともに、一方の継手の一方の外歯車と他方の継手の他方の外歯車とに取り外し自在に係合する内歯車とを備え、一方の継手又は他方の継手のいずれか一方は、他方の継手の回転中心近傍にワイヤを案内するワイヤ案内軸を有することを特徴とするベビーカーの手押し杆である。
【００１２】
本発明は、一方の継手又は他方の継手のいずれか一方は、ワイヤ案内軸が取り付けられた継手本体を有し、継手本体は、他方の継手の回転方向に延設された切欠きを有することを特徴とするベビーカーの手押し杆である。
【００１３】
本発明は、継手本体に、他方の継手の回転方向に延設された切欠きを覆うとともに、他方の継手の回転方向に回転自在な継手カバーを設け、継手カバーは、ワイヤを通すワイヤ案内穴を有することを特徴とするベビーカーの手押し杆である。
【００１４】
本発明は、他方の継手に、他方の継手の他方の外歯車と内歯車との係合を解除するボタンを設けたことを特徴とするベビーカーの手押し杆である。
【００１５】
本発明は、内歯車とワイヤ案内軸との間にばねが設けられ、ワイヤ案内軸の側方にばねを支持するための凸部が設けられていることを特徴とするベビーカーの手押し杆である。
【発明の効果】
【００１６】
本発明によれば、遠隔操作装置の操作性を向上させるとともに、ベビーカーを軽くすることができるベビーカーの手押し杆を提供することができる。
【発明を実施するための最良の形態】
【００１７】
第１の実施の形態
以下、図面を参照して本発明の第１の実施の形態について説明する。
【００１８】
まず、本発明によるベビーカーの手押し杆１５が組み込まれたベビーカーについて、図１乃至図６により説明する。
【００１９】
図１はベビーカーの概略構成を示す斜視図、図２はその縦断側面図であって、ベビーカーは、前輪１１を有する左右一対の前脚１２、後輪１３を有する左右一対の後脚１４、ほぼＵ字状に屈曲された手押し杆１５、左右一対のアームレスト１６、及びそのアームレスト１６の後端がそれぞれ枢着された、互いに平行に延びる左右２本のパイプ１７を有している。
【００２０】
上記アームレスト１６には、その先端部に前脚１２と後脚１４の頂端部が枢着されている。左右の前脚１２は足乗せ板を兼ねる前脚連結ステー２２により連結されており、左右の後脚１４は後脚連結ステー２３により連結されている。上記後脚１４にはＬ字状のブラッケット１９の下端部が軸１９ａにより枢着されており、その中間部が軸３０により前記パイプ１７の下端部に枢着されている。すなわち、上記左右のパイプ１７の下端部にはそれぞれ互いに対向する内面側にフレーム取付部材３１（図３）が軸３０により枢着されており、さらにその軸３０に、パイプ１７の外側に配設されたブラッケット１９とともにＵ字状の手押し杆１５の下端部が枢着されている。
【００２１】
左右の前脚１２の中間位置にはそれぞれ側部フレーム２４の前端部が枢着されており、その左右の側部フレーム２４の前端は前側上部連結ステー３２により連結されている。また、上記側部フレーム２４の後端部は上記フレーム取付部材３１の中間位置に固着されている。フレーム取付部材３１には上記側部フレーム２４の固着位置に対して前記軸３０と反対側下方位置にステー取付部３１ａが突設されており、そのステー取付部３１ａに後側上部連結ステー３３が固着され、その後側上部連結ステー３３により左右のフレーム取付部材３１が互いに連結されている。一方、上記左右のフレーム取付部材３１には、前記軸３０と後側上部連結ステー３３との間に、逆Ｕ字状に形成された背当て部支持枠３４の左右先端部が軸３５により枢着され、上記フレーム取付部材３１に対して逆Ｕ字状の背当て部支持枠３４が揺動可能に装着されている（図３）。
【００２２】
ところで、パイプ１７の下端部には、ベビーカーの展開状態において上記ブラッケット１９の自由端部と係合し、その展開状態を維持するロック部材２０が摺動可能に装着されている。一方、手押し杆１５には、手押し杆１５に設けられた遠隔操作装置３７によって操作されるロック解除部材３８が手押し杆１５に沿って摺動可能に装着されており、上記遠隔操作装置３７によって上記ロック解除部材３８を引き上げると、ロック解除部材３８に設けられているロック解除杆３９、およびロック部材２０に設けられた作動板４０を介してロック部材２０が上方に引き上げられ、ブラッケット１９のロックが解除され、前脚１２と後脚１４とがほぼ平行状態になるようにベビーカー本体を２つ折り状態にすることができる。
【００２３】
また、アームレスト１６及びパイプ１７の外側面には横方向に突出する係止突起４１（その一方のみ示す）が固設されており、手押し杆１５には上記係止突起４１に係合する凹部を有する係止部材４２が手押し杆１５に沿って摺動可能に装着されており、上記係止部材４２を上方に引き上げて、係止部材４２を係止突起４１から解放し、手押し杆１５を後方或いは前方に揺動させることにより、手押し杆１５を対面押し状態或いは背面押し状態とすることができる。
【００２４】
ところで、上記左右の側部フレーム２４、２４及びそれらの先端部を連結する前側上部連結ステー３２によって、Ｕ字状の座部支持枠が構成されており、上記座部支持枠及び背当て部支持枠３４で囲まれた部分にベースシート用生地４６が張設されている。すなわち、上記ベースシート用生地４６の座部４６ａの両側縁部が左右の側部フレーム２４に装着されるとともに座部４６ａの前端縁部が前側上部連結ステー３２に装着され、上記座部４６ａに連接されている背当て部４６ｂの両側縁部が背当て部支持枠３４の左右の側枠部４６ａに装着され、さらに背当て部４６ｂの後端縁部が上記背当て部支持枠３４の左右の側枠部３４ａを連結する水平杆部３４ｂに装着され、上記ベースシート用生地４６が前後方向及び左右方向に緊張状態に張設されている。しかも、座部支持枠に張設されたベースシート用生地４６の座部４６ａの裏面側にはベースシート緊張部材４７が縫着されており、そのベースシート緊張部材４７の先端部がベビーカーの展開状態において背当て部支持枠３４の枢着軸３５よりも下方位置に設けられている後側上部連結ステー３３に装着されている（図２）。しかして、上記ベースシートの座部４６ａがベースシート緊張部材４７によって後方側にも引っ張られ、四方から引っ張られる状態となりベースシート用生地４６がより確実に緊張状態とされる。
【００２５】
また、ベースシート４６が張設された背当て部支持枠３４の背面側には、左右のパイプ１７に固着されたリクライニング張設ベルト４８が配設されており、そのリクライニング張設ベルト４８の長さを調節することにより背当て部４６ａのリクライニング角度を調節することができる。
【００２６】
このように、ベースシート用生地４６を前後方向及び左右方向に緊張状態に張設することにより、ベースシートの剛性を維持することができ、従来のベビーカーのような板材を不要とすることができ、軽量化を図ることができる。しかも、後側上部連結ステー３３が背当て部支持枠３４の枢軸より下方位置に設けられているので、ベースシート用生地４６が乳幼児の自重で撓んでも臀部が上記後側上部連結ステー３３に当たることがなく、不快感を生じることもない。
【００２７】
一方、図３に示すように、パイプ１７とフレーム取付部材３１を連結する軸３０には乳幼児の側部を保護するサイドプレート５０の先端部が枢着されている。また、図４に示すように、前記背当て部支持枠３４の左右の側枠部３４ａを連結する水平杆部３４ｂにはその左右部に軸受け５１、５１が設けられており、その軸受け５１、５１に、乳幼児の頭部を保護するヘッドレスト５２の下端部が軸５３により枢着されている。さらに、上記ヘッドレスト５２の左右両側部にはピン５４が突設されており、そのピン５４が前記サイドプレート５０の後端部に形成された長孔５５に係合されている。
【００２８】
図３は、前記背当て部支持枠３４を傾倒し、乳幼児を寝かせるようにした状態を示す図であり、ヘッドレスト５２が上記背当て部支持枠３４の平面に対して上方に立ち上がった状態となっている。そこで前記リクライニング張設ベルト４８の長さを調節して、図５に示すように上記背当て部支持枠３４の傾斜角度を大きくすると、それに伴ってサイドプレート５０も上方に傾動され、ピン５４と長孔５５との係合によりヘッドレスト５２が軸５３を中心として図３において時計方向に揺動され、ヘッドレスト５２が背当て部支持枠３４とほぼ同一平面となる。一方、図５に示す状態においてリクライニング張設ベルト４８を緩めると、背当て部支持枠３４とともにサイドプレート５０が下方に揺動し、それに伴ってヘッドレスト５２が上方に揺動して図３に示す状態となり、乳幼児の頭部を保護することができるようになる。
【００２９】
また、前記２つ折り状態とする場合には、背当て部支持枠３４とともにサイドプレート５０を図５に示す状態にした後、手押し杆１５に設けられている遠隔操作装置３７を操作することにより、従来のベビーカーと同様に折り畳むことができる。その折り畳み状態における背当て部支持枠３４とサイドプレート５０等の状態を図６に示す。
【００３０】
次に、本発明によるベビーカーの手押し杆１５について、図面を参照して更に詳述する。ここで、図１及び図７乃至図１５は本発明のベビーカーの手押し杆１５の詳細を示す図である。
【００３１】
図１に示すように、本実施の形態の手押し杆１５は、ロック解除部材３８及び係止部材４２から上方へ延びる一対の側部パイプ６７と、一対の側部パイプ６７間に配置されたＵ字形状パイプ６８と、Ｕ字形状パイプ６８に設けられた遠隔操作装置３７とを備えている。また、遠隔操作装置３７にワイヤ６９が連結され、このワイヤ６９は、各側部パイプ６７下方に設けられたロック解除部材３８に連結されている。
【００３２】
また、図１、図７、図８及び図９に示すように、手押し杆１５は、各側部パイプ６７に設けられるとともに、一方の外歯車７１とワイヤ案内路９０を有する一方の継手６１と、Ｕ字形状パイプ６８に設けられるとともに、他方の外歯車８３とワイヤ案内路９０とを有し、対応する一方の継手６１に対して回転自在な他方の継手６５とを備えている。
【００３３】
このうち、一方の継手６１と他方の継手６５との間に、一方の継手６１の一方の外歯車７１と他方の継手６５の他方の外歯車８３とに取り外し自在に係合する内歯車６３が設けられている。
【００３４】
また、他方の継手６５と内歯車６３との間に、他方の継手６５の回転中心近傍にワイヤ６９を案内するワイヤ案内軸７４を有する案内部材６４が設けられている。
【００３５】
さらに、他方の継手６５に、他方の継手６５の他方の外歯車８３と内歯車６３との係合を解除するボタン６６が設けられ、また内歯車６３と一方の継手６１との間に、ボタン６６により押された内歯車６３を押し返すばね６２（図１４（ｂ）参照）が配置されている。
【００３６】
次に、一方の継手６１、内歯車６３、案内部材６４及び他方の継手６５について、図１０乃至図１３により詳しく説明する。
【００３７】
まず、一方の継手６１は、内歯車６３と係合する一方の外歯車７１と、ばね６２を固定するばね固定軸７２と、ワイヤ６９を案内するワイヤ案内路９０とを有し、ばね６２は固定軸７２に取り付けられている（図１０（ａ）（ｂ）参照）。
【００３８】
また、内歯車６３は、一方の継手６１と他方の継手６５との間に設けられ、図１１（ａ）に示すように、内歯車６３は、中心近傍にばね６２を挿入して固定するばね固定空間７３が形成されている。また図１１（ｂ）に示すように、内歯車６３のうち固定空間７３と反対側に、案内部材６４のワイヤ案内軸７４が挿入される案内軸固定空間７９が形成され、さらに、内歯車６３の側部パイプ６７側（下方）の外周にはワイヤ６９を保持する切欠き９９が設けられている。
【００３９】
次に、図１２（ａ）（ｂ）により、案内部材６４について説明する。図１２（ａ）（ｂ）に示すように、案内部材６４は、保持板７６と、他方の継手６５の回転中心近傍に設けられるとともに、ワイヤ６９を案内するワイヤ案内軸７４を有している。このワイヤ案内軸７４は、保持板７６に保持されるとともに、内歯車６３の案内軸固定空間７９に挿着されて固定されている。また、保持板７６には、ワイヤ６９を案内する案内突起７７が設けられている。
【００４０】
ここで、図１２（ａ）（ｂ）に示すように、保持板７６に設けられた案内突起７７は、Ｕ字形状パイプ側（上方）に空間８９を形成し、側部パイプ側（下方）にワイヤ６９を保持する切欠き８１を形成している。このうち空間８９は、ワイヤ６９がワイヤ案内軸７４の上方を自由に回転することができるよう設けられたものであり、切欠き８１は、ワイヤ６９を内歯車６３の下方で保持することによりワイヤ６９を回転中心近傍に確実に導くものである。また、案内部材６４の保持板７６には、ボタン６６の突起部８６により案内部材６４が押された際に（図１４（ｂ）参照）、ワイヤ６９にかかる力を軽減させるためにワイヤ６９を逃がす逃がし溝８２が設けられている。
【００４１】
また、図１３（ａ）に示すように、他方の継手６５には、内歯車６３と係合する他方の外歯車８３と、案内部材６４が挿入される中空部８４と、ワイヤ６９を案内するワイヤ案内路９０とが設けられている。また、図１３（ｂ）に示すように、他方の継手６５の中空部８４と反対側の面には、ボタン６６が挿入されるボタン挿入部８５が設けられている。
【００４２】
次に、図７、図８、図９及び図１４（ａ）を参照して、一方の継手６１、ばね６２、内歯車６３、案内部材６４及び他方の継手６５の組み立て方法について説明する。
【００４３】
図７、図８、図９及び図１４（ａ）に示すように、一方の継手６１のばね固定軸７２にばね６２が挿入される。ばね固定軸７２により固定されたばね６２は、次に内歯車６３のばね固定空間７３内に挿入される。内歯車６３の案内軸固定空間７９には、案内部材６４のワイヤ案内軸７４が挿着されて固定され、この固定された案内部材６４は、他方の継手６５の中空部８４に挿入されるとともに、ボタン６６の突起部８６に接触する。このとき、内歯車６３は、一方の継手６１の一方の外歯車７１と他方の継手６５の他方の外歯車８４との両方に係合する。
【００４４】
次に、このような構成からなる本実施の形態の作用について述べる。
【００４５】
図１４（ａ）に示すように、ボタン６６を押していない状態では、内歯車６３は、一方の継手６１の一方の外歯車７１と、他方の継手６５の他方の外歯車８３との両方に係合している。このため、他方の継手６５は一方の継手６１の周りを回転せずに固定されているので、他方の継手６５に設けられたＵ字形状パイプ６８を一方の継手６１に設けられた側部パイプ６７に対して固定させることができる。
【００４６】
一方、図１４（ｂ）に示すように、Ｕ字形状パイプ６８に設けられた他方の継手６５に設けられたボタン６６を押すことにより、ボタン６６の突起部８６により内歯車６３が押されて、内歯車６３と他方の継手６５の他方の外歯車８３との係合を解除することができる。このため、他方の継手６５は、一方の継手６１の周りを自由に回転することができるので、他方の継手６５に設けられたＵ字形状パイプ６８を、一方の継手６１に設けられた側部パイプ６７に対して自由に回転させることができる。
【００４７】
このため、Ｕ字形状パイプ６８の地面からの高さを調整することができ、Ｕ字形状パイプ６８を操作者にあった高さに調整することにより、ベビーカーを押しやすくすることができる。
【００４８】
また、ベビーカーを収納する時には、Ｕ字形状パイプ６８を折り曲げることにより、ベビーカーの高さ方向への長さを短くすることができ、ベビーカーを収納スするペースを節約することができる。
【００４９】
なお、図１２（ａ）（ｂ）に示すように、案内部材６４の保持板７６には、ワイヤ６９が通過する逃がし溝８２が設けられているので、ボタン６６を押した際に、ワイヤ６９を逃がし溝８２に逃がすことができる。このため、ボタン６６を押した際にワイヤ６９にかかる力を減らすことができる。
【００５０】
次に、Ｕ字形状パイプ６８を側部パイプ６７に対して回転させた時のワイヤ６９の動きについて説明する。
【００５１】
図１５（ａ）（ｂ）に示すように、Ｕ字形状パイプ６８を折り曲げていない場合には、ワイヤ６９は、側部パイプ６７のロック解除部材３８からＵ字形状パイプ６８の遠隔操作装置３７まで延在し、一方の継手６１と他方の継手６５との間では、ワイヤ案内軸７４を迂回しつつ、略直線状で配置されている。
【００５２】
一方、Ｕ字形状パイプ６８を折り曲げている場合には、一方の継手６１に対して他方の継手６５が回動する。このとき図１５（ｃ）（ｄ）に示すように、ワイヤ６９は、側部パイプ６７のロック解除部材３８からＵ字形状パイプ６８の遠隔操作装置３７まで延在し、ワイヤ案内軸７４に巻き掛けられて屈曲される。
【００５３】
ここで、ワイヤ６９の巻き掛けられるワイヤ案内軸７４は、他方の継手６５の回転中心近傍に設けられているので、ワイヤ６９は他方の継手６５の回転中心近傍を通ることができる。このため、ワイヤ６９は、内歯車６３の外方を回ることなく、他方の継手６５の回転中心近傍を回ることができる。
【００５４】
このため、予めワイヤ６９を回転させループ５９を形成して、遊びを作っておく必要が無くなる（図２１参照）。このため、必要最小限の長さのワイヤ６９を用いれば良くなるので、ベビーカーの重量を軽くすることができる。
【００５５】
また、ワイヤ６９はループ５９を形成せずにロック解除部材３８に連結されているので、遠隔操作装置３７のボタン（図示せず）を押してワイヤ６９を上方に引き上げる際、無駄な抵抗がかかることがない。このため、ロック解除部材３８に連結されたワイヤ６９を容易に駆動操作することができる。
【００５６】
また、ワイヤ６９をループさせておく必要がなくなるので、ベビーカーを製造する工程において、ワイヤ６９のループを形成する必要がなくなる。
【００５７】
なお、案内部材６４に設けられた案内突起７７は、Ｕ字形状パイプ側（上方）に空間８９を有しているので、ワイヤ６９は空間８９内で自由に移動することができる。このため、ワイヤ６９はワイヤ案内軸７４の周りを上方において自由に回転することができる（図１５参照）。
【００５８】
また、図１２（ａ）（ｂ）に示すように、案内部材６４に設けられた案内突起７７は、側部パイプ側（下方）に切欠き８１を有しており、また図１１（ａ）（ｂ）に示すように、内歯車６３も、側部パイプ側（下方）に切欠き９９を有している。このため、ワイヤ６９を案内部材６４及び内歯車６３の下方で保持することができる。このため、ワイヤ６９を回転中心近傍に確実に導くことができる。
【００５９】
第２の実施の形態
次に図１６乃至図２０により本発明の第２の実施の形態について説明する。図１６乃至図２０に示す第２の実施の形態は、ワイヤ６９を案内する案内部材６４を設ける代わりに、一方の継手６１又は他方の継手６５のいずれか一方にワイヤ案内軸８７を設けたものであり、他は図１乃至図１５に示す第１の実施の形態と略同一である。
【００６０】
図１６乃至図２０に示す第２の実施の形態において、図１乃至図１５に示す第１の実施の形態と同一部分には同一符号を付して詳細な説明は省略する。
【００６１】
まず、図１６乃至図１８により、一方の継手６１にワイヤ案内軸８７を設けた構成について説明する。
【００６２】
図１６、図１７及び図１８に示すように、一方の継手６１は継手本体９２と、この継手本体９２を覆う継手カバー９３とを有している。
【００６３】
このうち、一方の継手６１の継手本体９２には、ワイヤ６９を案内するワイヤ案内路９１と、他方の継手６５の回転中心近傍においてワイヤ６９を案内するワイヤ案内軸８７が設けられている。またワイヤ案内軸８７の内歯車６３側の側方には、ばね６２がワイヤ案内路９１に入り込まないよう、ばね６２を支持する凸部９７が設けられている（図１７参照）。
【００６４】
ここで、図１８（ａ）は一方の継手６１の継手本体９２を上方から見た概略図であり、図１８（ｂ）は継手カバー９３を上方から見た概略図であり、図１８（ｃ）は継手本体９２と継手カバー９３とを組み立てた後、ワイヤ６９を継手本体９２の切欠き９４と継手カバー９３のワイヤ案内穴９５とに挿入した状態を上方から見た概略図である。
【００６５】
図１８（ａ）に示すように、一方の継手６１の継手本体９２のＵ字形状パイプ６８側（上方）には、他方の継手６５の回転方向に延設される切欠き９４が設けられている。
【００６６】
また、図１８（ｂ）に示すように、継手カバー９３には、ワイヤ６９を通すワイヤ案内穴９５が設けられている。そして、図１８（ｃ）に示すように、継手カバー９３は、継手本体９２のＵ字形状パイプ側（上方）に配置され、継手本体９２に設けられた他方の継手６５の回転方向に延設された切欠き９４を覆っている。
【００６７】
また、図１８（ｃ）に示すように、ワイヤ６９は、継手本体９２に設けられた切欠き９４と、継手本体９２上に配置された継手カバー９３に設けられたワイヤ案内穴９５とを通るよう配置されている。
【００６８】
ここで、一方の継手６１に対して他方の継手６５が回転した際、ワイヤ６９はワイヤ案内軸８７の上方において切欠き９４に沿って自由に移動することができる。また、継手カバー９３は、継手本体９２上で自由に回転することができ、一方の継手６１に対して他方の継手６５が回転した際、ワイヤ案内穴９５を通るワイヤ６９によって継手カバー９３は押されて継手本体９２上を回動する。
【００６９】
次に、図１６乃至図１９を参照して、一方の継手６１の継手本体９２及び継手カバ−９３、ばね６２、内歯車６３、他方の継手６５並びにボタン６６の組み立て方法について説明する。
【００７０】
図１６乃至図１９に示すように、一方の継手６１の継手カバー９３は、継手本体９２のＵ字形状パイプ側（上方）に配置される。ここで継手カバー９３は、継手本体９２のＵ字形状パイプ側（上方）において、他方の継手６５の回転方向に延設された切欠き９４を覆っている。
【００７１】
次に、ばね６２が、継手本体９２のワイヤ案内軸８７側方であって、内歯車６３側に設けられた凸部９７上に配置される。次に内歯車６３が一方の継手６１の継手本体９２に嵌込まれ、ばね６２が内歯車６３のばね固定空間７３内に挿入される。次に一方の継手６１の継手本体９２に他方の継手６５が嵌込まれる。このとき内歯車６３は、一方の継手６１の一方の外歯車７１と、他方の継手６５の他方の外歯車８３との両方に係合する。
【００７２】
その後、ボタン６６の突起棒８８が、他方の継手６５の穴部８８ｄと、内歯車６３の穴部８８ｃと、ばね６２内部と、継手本体９２の穴部８８ｂと、継手カバー９３の穴部８８ａとを貫通して挿着される。この場合、継手カバー９３及び継手本体９２と、ばね６２と、内歯車６３と、他方の継手６５とが一体として組み立てられる。
【００７３】
次に、このような構成からなる本実施の形態の作用について述べる。
【００７４】
図１９（ａ）に示すように、ボタン６６を押していない状態では、内歯車６３は、一方の継手６１の一方の外歯車７１と、他方の継手６５の他方の外歯車８３との両方に係合している。このため、他方の継手６５は一方の継手６１の周りを回転せずに固定されているので、他方の継手６５に設けられたＵ字形状パイプ６８を一方の継手６１に設けられた側部パイプ６７に対して固定させることができる。
【００７５】
一方、図１９（ｂ）に示すように、他方の継手６５に設けられたボタン６６を押すことにより、ボタン６６の突起部８６により内歯車６３が押されて、内歯車６３と他方の継手６５の他方の外歯車８３との係合を解除することができる。このため、他方の継手６５は、一方の継手６１の周りを自由に回転することができるので、他方の継手６５に設けられたＵ字形状パイプ６８を、一方の継手６１に設けられた側部パイプ６７に対して自由に回転させることができる。
【００７６】
このため、Ｕ字形状パイプ６８の地面からの高さを調整することができ、Ｕ字形状パイプ６８を操作者にあった高さに調整することにより、ベビーカーを押しやすくすることができる。
【００７７】
また、ベビーカーを収納する時には、Ｕ字形状パイプ６８を折り曲げることにより、ベビーカーの高さ方向への長さを短くすることができ、ベビーカーを収納スするペースを節約することができる。
【００７８】
次に、Ｕ字形状パイプ６８を側部パイプ６７に対して回転させた時のワイヤ６９の動きについて説明する。
【００７９】
図２０（ａ）に示すように、Ｕ字形状パイプ６８を折り曲げていない場合には、ワイヤ６９は、継手本体９２に設けられた他方の継手６５の回転方向に延設される切欠き９４と、継手カバー９３に設けられたワイヤ案内穴９５とを通る（図１８（ｃ）参照）。この場合、ワイヤ６９は側部パイプ６７のロック解除部材３８からＵ字形状パイプ６８の遠隔操作装置３７まで延在し、一方の継手６１と他方の継手６５との間では、略直線状になっている。
【００８０】
一方、図２０（ｂ）に示すように、Ｕ字形状パイプ６８を折り曲げている場合には、一方の継手６１に対して他方の継手６５が回動する。このときワイヤ６９は、側部パイプ６７のロック解除部材３８からＵ字形状パイプ６８の遠隔操作装置３７まで延在し、ワイヤ案内軸８７に巻き掛けられて屈曲される。
【００８１】
ここで、ワイヤ６９の巻き掛けられるワイヤ案内軸８７は、他方の継手６５の回転中心近傍に設けられているので、ワイヤ６９は他方の継手６５の回転中心近傍を通ることができる。このため、ワイヤ６９は、内歯車６３の外方を回ることなく、他方の継手６５の回転中心近傍を回ることができる。
【００８２】
また、ワイヤ案内軸８７の側方には、凸部９７が設けられているので、ばね６２が一方の継手９１のワイヤ案内路９１に落ち込むことを防止することができる。このため、ワイヤ６９を確実に、ワイヤ案内軸８７の周りに巻き掛けることができる。
【００８３】
これらのことより、予めワイヤ６９を回転させループ５９を形成して、遊びを作っておく必要が無くなる（図２１参照）。このため、必要最小限の長さのワイヤ６９を用いれば良くなるので、ベビーカーの重量を軽くすることができる。
【００８４】
また、ワイヤ６９はループ５９を形成せずにロック解除部材３８に連結されているので、遠隔操作装置３７のボタン（図示せず）を押してワイヤ６９を上方に引き上げる際、無駄な抵抗がかかることがない。このため、ロック解除部材３８に連結されたワイヤ６９を容易に駆動操作することができる。
【００８５】
また、ワイヤ６９をループさせておく必要がなくなるので、ベビーカーを製造する工程において、ワイヤ６９のループを形成する必要が無くなる。
【００８６】
なお、図１８（ａ）に示すように一方の継手６１の継手本体９２は、Ｕ字形状パイプ側に設けられ他方の継手６５の回転方向に延設される切欠き９４を有しているので、ワイヤ６９は、この延設された切欠き９４内を自由に移動することができる。このため、図２０（ａ）（ｂ）に示すように、ワイヤ６９は、ワイヤ案内軸８７周りを自由に回転することができる。
【００８７】
また、図１８（ｂ）に示すように、一方の継手６１の継手カバー９３は、他方の継手６５の回転方向に回転自在となっており、かつワイヤ６９を通すワイヤ案内穴９５を有している。このため、図２０（ａ）（ｂ）に示すように、ワイヤ６９は、ワイヤ案内軸８７周りを自由に回転することができるとともに、継手本体９２に延設された切欠き９４を隠すことができ、これにより一方の継手６１の外観を良好に保つことができる。
【００８８】
なお、ワイヤ案内軸８７側方に設けられた凸部９７は、ばね６２を支持できるものであれば、どのような形態のものであってもよい。
【００８９】
また、ワイヤ案内軸８７やばね６２の大きさを調整し、ばね６２がワイヤ案内路９１に落ち込まないようにすることもできる。この場合は、凸部９７を設けなる必要はない。
【００９０】
上記実施の形態において、一方の継手６１が、継手本体９２と、継手カバー９３と、ワイヤ案内軸８７とを有する例を示したが、これに限らず、他方の継手６５が、継手本体９２と、継手カバー９３と、ワイヤ案内軸８７とを有する構成であっても良い。
【図面の簡単な説明】
【００９１】
【図１】本発明による手押し杆が組み込まれた概略構成を示す斜視図。
【図２】ベビーカーの縦断側面図。
【図３】背当て部支持枠およびサイドプレート部の拡大側面図。
【図４】背当て部支持枠及びヘッドレスト部の平面図。
【図５】背当て部支持枠及びヘッドレストの作動説明図。
【図６】折り畳み時における背当て部支持枠及びヘッドレストの作動説明図。
【図７】第１の実施の形態における組み立てる前の一方の継手、ばね、内歯車、案内部材、他方の継手及びボタンを図１のＡ方向から見た平面図。
【図８】第１の実施の形態における組み立てる前の一方の継手、ばね、内歯車、案内部材、他方の継手及びボタンを図１のＢ方向から見た平面図。
【図９】第１の実施の形態における組み立てる前の一方の継手、ばね、内歯車、案内部材、他方の継手及びボタンの側方断面図。
【図１０】第１の実施の形態における一方の継手の構成図。
【図１１】第１の実施の形態における内歯車の構成図。
【図１２】第１の実施の形態における案内部材の構成図。
【図１３】第１の実施の形態における他方の継手の構成図。
【図１４】第１の実施の形態における組み立てた後の一方の継手、ばね、内歯車、案内部材、他方の継手及びボタンの側方断面図。
【図１５】第１の実施の形態における案内部材とワイヤとの関係を示す構成図。
【図１６】第２の実施の形態における組み立てる前の一方の継手、ばね、内歯車、案内部材、他方の継手及びボタンの平面概略図。
【図１７】第２の実施の形態における組み立てる前の一方の継手、ばね、内歯車、案内部材、他方の継手及びボタンの側方概略図。
【図１８】第２の実施の形態における継手本体、継手カバー及びワイヤとの関係を示す上方概略図。
【図１９】第２の実施の形態における組み立てた後の一方の継手、ばね、内歯車、案内部材、他方の継手及びボタンの側方断面図。
【図２０】第２の実施の形態における継手本体、継手カバー及びワイヤの関係を示す平面概略図。
【図２１】従来の手押し杆を示す平面概略図。
【符号の説明】
【００９２】
１５      手押し杆
３７      遠隔操作装置
３８      ロック解除部材
６１      一方の継手
６３      内歯車
６４      案内部材
６５      他方の継手
６６      ボタン
６７      側部パイプ
６８      Ｕ字形状パイプ
６９      ワイヤ
７１      一方の外歯車
７４、８７       ワイヤ案内軸
７６      保持板
７７      案内突起
８１      切欠き
８２      逃がし溝
８３      他方の外歯車
８９      空間
９０、９１       ワイヤ案内路
９２      継手本体
９３      継手カバー
９４      切欠き
９５      ワイヤ案内穴
９７      凸部
【図１】
2007098996.tif 000003
【図２】
2007098996.tif 000004
【図３】
2007098996.tif 000005
【図４】
2007098996.tif 000006
【図５】
2007098996.tif 000007
【図６】
2007098996.tif 000008
【図７】
2007098996.tif 000009
【図８】
2007098996.tif 000010
【図９】
2007098996.tif 000011
【図１０】
2007098996.tif 000012
【図１１】
2007098996.tif 000013
【図１２】
2007098996.tif 000014
【図１３】
2007098996.tif 000015
【図１４】
2007098996.tif 000016
【図１５】
2007098996.tif 000017
【図１６】
2007098996.tif 000018
【図１７】
2007098996.tif 000019
【図１８】
2007098996.tif 000020
【図１９】
2007098996.tif 000021
【図２０】
2007098996.tif 000022
【図２１】
2007098996.tif 000023